(57)【要約】【課題】レーベル面に天地方向が規定される情報が予め印刷されたディスク型記録媒体に対しても、適切な向きで新たな情報を印刷することができる記録媒体の提供。【解決手段】レーベル面に、天地方向が規定される情報（印刷済み情報１９）が予め印刷されたディスク型記録媒体９において、レーベル面の外周部に、印刷済み情報１９の天地方向と新たに印刷する情報の天地方向とが略一致する状態において、プリンタで使用されるレーベル印刷用トレイ２３の記録媒体装着用の凹部２３ａ周囲に設けられた第１の目印２４に係合する１以上の第２の目印２０が印刷されているものであり、第１の目印２４と第２の目印２０とを位置合わせするだけで、レーベル印刷用トレイ２３に対して記録媒体９を正しい向きにセットすることができるため、位置合わせ作業が容易になり、かつ、見栄えのよい記録媒体９を簡単に作成できる。【選択図】図９
2006338806.tif 000002
【特許請求の範囲】
【請求項１】
レーベル面に、天地方向が規定される情報が予め印刷されているディスク型記録媒体であって、
前記レーベル面の外周部に、印刷手段で使用されるレーベル印刷用トレイの記録媒体装着領域周囲に設けられた第１の目印に係合する１以上の第２の目印が印刷されていることを特徴とする記録媒体。
【請求項２】
前記第２の目印は、予め印刷されている前記情報の天地方向と前記印刷手段を用いて新たに印刷する情報の天地方向とが略一致する状態において、前記第１の目印に係合する位置に配置されていることを特徴とする請求項１記載の記録媒体。
【請求項３】
前記記録媒体の記録面に少なくとも画像データが記録され、
前記新たに印刷する情報は、前記記録媒体に記録された前記画像データに関連付けられた情報を含むことを特徴とする請求項２記載の記録媒体。
【請求項４】
前記新たに印刷する情報は、前記記録媒体のタイトル、前記記録媒体に前記画像データを記録した日付情報、前記記録媒体を識別するための識別情報、又は、前記記録媒体に記録された画像データに基づく画像情報のいずれかを含むことを特徴とする請求項２又は３に記載の記録媒体。
【請求項５】
前記記録媒体の記録面の論理アドレス領域の内側の領域に、前記記録媒体を識別するための識別情報が記録されていることを特徴とする請求項１乃至４のいずれか一に記載の記録媒体。
【請求項６】
前記第１の目印及び前記第２の目印は、各々、直線、矢印、記号、図形のいずれかで構成されていることを特徴とする請求項１乃至５のいずれか一に記載の記録媒体。
【発明の詳細な説明】
【技術分野】
【０００１】
本発明は、記録媒体に関し、特に、レーベル面に情報が印刷可能な記録媒体に関する。
【背景技術】
【０００２】
近年、写真に関連する様々なサービスが提供されるようになってきている。例えば、写真を撮影したデジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（無人端末に関しては、例えば、下記特許文献１等）。
【０００３】
また、デジタルカメラやメディアから読み取った画像データに基づいて、ＤＶＤプレーヤやＤＶＤレコーダ、ＨＤＤレコーダ、ゲーム機などで再生可能な形式の画像データを生成し、元の画像データと生成した画像データとをＣＤ−ＲやＤＶＤ−Ｒなどの記録媒体に書き込むこともできる。
【０００４】
また、画像データを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データを記録媒体に書き込んだり、読み取った画像データに基づいて家電機器用データを生成して記録媒体に書き込むこともできる。
【０００５】
【特許文献１】特開平１１−８８１７号公報（第３−４頁、第１図）
【発明の開示】
【発明が解決しようとする課題】
【０００６】
上記サービスを頻繁に利用するユーザの場合、多数の記録媒体を保有することになるために記録媒体の識別が困難になる。そこで、記録媒体のレーベル面に、タイトルや作成年月日、ＩＤ番号などの文字情報や記録媒体に記録した画像データに基づく画像情報などを印刷して記録媒体を識別しやすくする方法が用いられる。
【０００７】
ここで、ＣＤ−ＲやＤＶＤ−Ｒなどのディスク型記録媒体では、レーベル面に何も印刷されていない状態であれば上記文字情報や画像情報をどのような向きに印刷しても問題は生じないが、例えば、図２０に示すように、レーベル面に文字や記号、模様、画像、ロゴマークなどの天地方向が規定される情報（印刷済み情報１９）が予め印刷されている記録媒体９に対して文字情報２２ａや画像情報２２ｂなどの追加印刷情報２１を印刷する場合、印刷済み情報１９の天地方向と追加印刷情報２１の天地方向とが一致しないと記録媒体９の見栄えが著しく悪くなってしまう。
【０００８】
そのため、上記印刷済み情報１９が予め印刷されている記録媒体をプリンタのレーベル印刷用トレイにセットする際には、記録媒体の天地方向とレーベル印刷用トレイの天地方向とを合わせる必要があるが、従来の記録媒体には位置合わせに利用できる目印が印刷されていないため、位置合わせの作業に時間がかかり、かつ、記録媒体とレーベル印刷用トレイの向きを正確に合わせることができないという問題があった。
【０００９】
本発明は、上記問題点に鑑みてなされたものであって、その主たる目的は、レーベル面に天地方向が規定される情報が予め印刷されたディスク型記録媒体に対しても、適切な向きで新たな情報を印刷することができる記録媒体を提供することにある。
【課題を解決するための手段】
【００１０】
上記目的を達成するため、本発明の記録媒体は、レーベル面に、天地方向が規定される情報が予め印刷されているディスク型記録媒体であって、前記レーベル面の外周部に、印刷手段で使用されるレーベル印刷用トレイの記録媒体装着領域周囲に設けられた第１の目印に係合する１以上の第２の目印が印刷されているものである。
【００１１】
本発明においては、前記第２の目印は、予め印刷されている前記情報の天地方向と前記印刷手段を用いて新たに印刷する情報の天地方向とが略一致する状態において、前記第１の目印に係合する位置に配置されていることが好ましい。
【００１２】
また、本発明においては、前記記録媒体の記録面に少なくとも画像データが記録され、前記新たに印刷する情報は、前記記録媒体に記録された前記画像データに関連付けられた情報を含む構成とすることができ、前記新たに印刷する情報は、前記記録媒体のタイトル、前記記録媒体に前記画像データを記録した日付情報、前記記録媒体を識別するための識別情報、又は、前記記録媒体に記録された画像データに基づく画像情報のいずれかを含む構成とすることもできる。
【００１３】
また、本発明においては、前記記録媒体の記録面の論理アドレス領域の内側の領域に、前記記録媒体を識別するための識別情報が記録されている構成とすることができる。
【００１４】
また、本発明においては、前記第１の目印及び前記第２の目印は、各々、直線、矢印、記号、図形のいずれかで構成することができる。
【００１５】
このように、本発明の構成によれば、レーベル印刷用トレイに設けられた第１の目印と記録媒体のレーベル面に印刷された第２の目印とを位置合わせするだけで、正しい向きで文字情報や画像情報を追加印刷することができるため、位置合わせの作業を容易にすることができ、見栄えのよい記録媒体を簡単に作成することができる。
【発明の効果】
【００１６】
本発明の記録媒体によれば、レーベル面に天地方向が規定される情報が予め印刷された記録媒体において、レーベル面に文字情報や画像情報を追加印刷する場合であっても、予め印刷された情報の天地方向と新たに印刷する情報の天地方向とを正確に合わせることができ、これにより、見栄えのよい記録媒体を簡単に作成することができる。
【００１７】
その理由は、記録媒体のレーベル面の外周部に、プリンタで使用されるレーベル印刷用トレイの記録媒体装着領域周囲に設けられた第１の目印に係合する１以上の第２の目印が印刷されているため、レーベル印刷用トレイの第１の目印と記録媒体のレーベル面の第２の目印とを位置合わせするだけで、レーベル印刷用トレイに対して記録媒体を正しい向きにセットすることができるからである。
【発明を実施するための最良の形態】
【００１８】
本発明の記録媒体は、その好ましい一実施の形態において、レーベル面に、文字や記号、模様、画像、ロゴマークなどの天地方向が規定される情報が予め印刷されたＣＤ−ＲやＤＶＤ−Ｒなどのディスク型記録媒体において、レーベル面の外周部に、予め印刷された情報の天地方向とプリンタを用いて新たに印刷する情報の天地方向とが略一致する状態において、プリンタで使用されるレーベル印刷用トレイの記録媒体装着用の凹部周囲に設けられた第１の目印に係合する１以上の第２の目印が印刷されているものであり、レーベル印刷用トレイの第１の目印と記録媒体のレーベル面の第２の目印とを位置合わせするだけで、レーベル印刷用トレイに対して記録媒体を正しい向きにセットすることができるため、位置合わせ作業を容易にすることができると共に、見栄えのよい記録媒体を簡単に作成することができる。
【実施例】
【００１９】
上記実施形態について詳細に説明すべく、本発明の一実施例に係る記録媒体について、図１乃至図１９を参照して説明する。図１は、本実施例に係る制御装置の構成を模式的に示す外観図であり、図２乃至図６は、そのバリエーションを示す図である。また、図７は、制御装置の機能を示すブロック図であり、図８は、本実施例の制御装置を用いた処理の手順を示すフローチャート図である。また、図９は、記録媒体及びレーベル印刷用トレイの構造を模式的に示す図であり、図１０乃至図１４は、そのバリエーションを示す図である。また、図１５は、記録媒体におけるデータの記録構造の一例を示す図であり、図１６及び図１７は、制御装置の表示手段に表示される画面の一例を示す図である。また、図１８は、記録媒体の記録面におけるデータの記録領域を模式的に示す図であり、図１９は記録媒体（ＣＤ−Ｒ）の構造を模式的に示す図である。
【００２０】
図１に示すように、本実施例の制御装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１０を介してサーバ１１から画像データなどをダウンロードするネットワーク接続部等と、レーベル面に印刷が可能なＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ボタン、キーボード、マウス等の操作手段６及びＬＣＤ、ＣＲＴ等の表示手段５と、記録媒体９のレーベル面に所望の文字情報や画像情報を印刷するインクジェットプリンタ、熱転写プリンタ、レーザプリンタなどの印刷手段１７と、を備えている。
【００２１】
また、制御装置１に備える主な手段をブロック図で示すと図７のようになり、メディア装填部２や機器接続部３、ネットワーク接続部などを用いて画像データ（静止画像データや動画データ、画像情報を含むデータを総称して画像データと呼ぶ。）を入力するデータ入力手段１２と、必要に応じて、画像データのデータサイズを縮小したサムネイル画像データやスクリーンネイル画像データなどの縮小画像データを作成したり、画像データをＤＶＤプレーヤやＤＶＤレコーダ、ＨＤＤレコーダ、ゲーム機等の家電機器で読み取り可能なＶｉｄｅｏ−ＣＤ形式、ＤＶＤ−Ｖｉｄｅｏ形式、ＨＤＴＶ形式などのデータを生成するデータ生成手段１３と、記録媒体９に所定の識別情報が記録されているかに基づいて該記録媒体９を識別する記録媒体識別手段１４と、タイトルや作成年月日、記録媒体９の識別情報などの文字情報や入力された画像データに基づく画像情報などをレイアウトして印刷するための印刷データを生成する印刷データ生成手段１５と、印刷手段１７に、印刷データに基づいて記録媒体９のレーベル面に文字情報や画像情報を印刷させる印刷制御手段１６と、記録媒体装填部４に装填された記録媒体９に画像データなどを記録するデータ記録手段１８と、文字の入力や画像データの選択などを行う表示手段５及び操作手段６と、を少なくとも備えている。
【００２２】
なお、図１では制御装置１としてパーソナルコンピュータなどのコンピュータ機器を示しているが、制御装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしたり、図６に示すように、ハードディスクを備えた端末と画像データの読み取りや書き込みを行う本体とが分離可能な携帯機器としたり、演算処理機能を備えたカーナビゲーション機器などとすることもできる。
【００２３】
次に、上記構成の制御装置１を用いた処理の手順について、図８のフローチャート図を参照して説明する。なお、以下では、記録媒体９の記録面に画像データなどを記録する処理と、記録媒体９のレーベル面に文字情報や画像情報を追加印刷する処理とを連続して行う場合について説明するが、予め画像データなどが記録された記録媒体９に対して、そのレーベル面に文字情報や画像情報を追加印刷する処理のみを行う構成としてもよい。
【００２４】
まず、ステップＳ１０１で、制御装置１のメディア装填部２にメディア８を装填、又は、機器接続部３にデジタルカメラ７やカメラ付き携帯電話機７ａを接続し、ステップＳ１０２で、データ入力手段１２を用いて、デジタルカメラ７やメディア８から画像データを読み取る。この画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１０を介して接続されるサーバ１１などであってもよい。
【００２５】
画像データの読み取りが終了すると、表示手段５に例えば、図１６に示すようなスライドショー作成画面２５が表示される。このスライドショー作成画面２５には、画像データの読み取り元の種別を示す読み取り元表示欄２６と、読み取った画像データの縮小画像を一覧表示するアルバム表示欄２７と、アルバム表示欄２７から選択した画像を表示する選択画像表示欄２８と、スライドショーの作成手順を示す手順表示欄２９などが表示され、スライドショーとして再生する画像データを選択する場合は、ステップＳ１０３で、操作手段６を操作して所望の画像データを選択する。また、必要に応じて、手順表示欄２９の各種手順を順に選択して、スライドショーの初めに表示される記録媒体９のタイトルを入力したり、画像に挿入する文字を入力したり、画像と共に再生されるＢＧＭを選択してスライドショーの設定を行う。
【００２６】
次に、ステップＳ１０４で、必要に応じて、データ生成手段１３を用いて、上記設定を参照して、読み取った画像データ（又はその中から選択した画像データ）を用いて動画データ（例えば、ＭＰＥＧ１、２、４、７形式などの動画データ）を生成（エンコード）し、生成した動画データを、ＤＶＤプレーヤやＤＶＤレコーダ、ＨＤＤレコーダ、ゲーム機などの家電機器で再生可能なＶｉｄｅｏ−ＣＤ形式やＤＶＤ−Ｖｉｄｅｏ形式、ＨＤＴＶ形式に変換（オーサリング）し、家電機器でスライドショーを再生するための家電機器用データを生成する。なお、画像データから動画データを作成する方法は特に限定されないが、例えば、静止画像データにスライド表示の時間分の差分０のデータを付加して動画データを生成したり、スライド効果に基づく差分データを付加して動画データを生成すればよい。
【００２７】
また、必要に応じて、データ生成手段１３を用いて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００２８】
次に、ステップＳ１０５で、制御装置１の記録媒体装填部４にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスクなどの記録媒体９を装填する。この記録媒体９はレーベル面に印刷が可能なディスク型記録媒体であり、このレーベル面の所定の位置には、例えば、図９（ａ）に示すように、文字や記号、模様、画像、ロゴマークなどの天地方向が規定される情報（以下、印刷済み情報１９と呼ぶ。）が予め印刷されており、かつ、後述するように、レーベル面の外周部には、印刷済み情報１９の天地方向と印刷手段１７を用いて新たに印刷する情報の天地方向とが略一致する状態において、レーベル印刷用トレイに形成された第１の目印に係合する１以上の第２の目印２０が印刷されている。なお、印刷済み情報の構成やサイズ、印刷位置などは任意である。また、レーベル面の形態も任意であり、記録媒体９のレーベル面側の少なくとも一部の領域が印刷可能であればよく、その領域はいずれかの種類の印刷手段１７（例えば、インクジェットプリンタ、熱転写プリンタ、レーザプリンタなど）で印刷できるように（例えば、所定のインクを構成する顔料や染料が定着するように）処理されていればよい。
【００２９】
次に、ステップＳ１０６で、必要に応じて、記録媒体識別手段１４を用いて、記録媒体９の所定の領域から記録媒体９を識別するための識別情報を読み出す。その際、上記識別情報は適正な記録媒体に対して画像を印刷するために設けるものであり、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３０】
ここで、一般的な記録媒体９の構造について、図１９を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３１】
次に、特定の記録媒体９の記録面（レーベル面と反対側の面）に各種データを書き込むが、その際、家電機器では所定の領域（ディスク型記録媒体の内側）に記録されたデータしか読み出すことができないため、家電機器用データを書き込む場合は、ステップＳ１０７で、データ記録手段１８を用いて、生成された家電機器用データや関連付けファイル等を記録媒体９の内側に書き込み、必要に応じてセッションをクローズした後、ステップＳ１０８で、読み取った画像データや必要に応じて作成した縮小画像データ、情報ファイル、音楽データなど（以下、これらを総称してコンピュータ機器用データと呼ぶ。）を家電機器用データの外側に書き込む。
【００３２】
上記手順で作成された記録媒体９の記録面には、図１８に示すように各種情報が記録され、ディスク型記録媒体９の最も内側の論理アドレス領域外には所定の識別情報が記録され、その外側の論理アドレス領域の内側には家電機器用データが記録され、更にその外側の領域にはコンピュータ機器用データが記録される。なお論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００３３】
また、上記手順で作成された記録媒体９のディレクトリ構造は、例えば、図１５に示すようになり、”PS_Roll”フォルダ内のオリジナル画像データやサムネイル画像データ、スクリーンネイル画像データ、”APPL”フォルダ内のスライドショープログラムやスライドショーの設定データ（Slidesetting.ini）、記録媒体９に関する各種情報が記述された特定の情報ファイル（index.pvm）、自動起動ファイルなどでコンピュータ機器用データが構成され、Ｖｉｄｅｏ−ＣＤ形式のデータを生成した場合は図１５（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成され、ＤＶＤ−Ｖｉｄｅｏ形式のデータを生成した場合は図１５（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００３４】
なお、画像データのディレクトリ構造は任意であるが、画像データをコンピュータ機器などにバックアップした場合における管理を容易にするために、例えば、図１５に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００３５】
次に、各種データの書き込みが終了すると、表示手段５に例えば図１７に示すようなレーベル印刷画面３０が表示される。このレーベル印刷画面３０には、記録媒体９のレーベル面に印刷する情報（例えば、記録媒体９のタイトルや作成年月日などの文字情報や、記録媒体９に記録された画像データの中から選択された画像データに基づく画像情報など）を入力又は選択する欄が設けられており、ステップＳ１０９で、ユーザは操作手段６を操作して記録媒体９のレーベル面に印刷する文字情報や画像情報を入力又は選択する。なお、上記文字情報や画像情報は記録媒体９に記録された画像データと関係の無い情報としてもよいが、スライドショーで表示されるタイトルや画像などの記録媒体９に記録された画像データに関係付けられた情報とすることによって記録媒体９の識別が容易になり、記録媒体９の利用価値を高めることができる。
【００３６】
次に、ステップＳ１１０で、印刷データ生成手段１５は、上記ステップで入力又は選択した文字情報や画像情報、自動的に設定された情報（例えば、記録媒体９の識別情報（ＩＤ番号）やロゴマークなど）を、記録媒体９のレーベル面にレイアウトして印刷するための印刷データを生成する。この印刷データは、文字情報や画像情報が合成されたデータとしてもよいし、文字情報や画像情報の印刷位置を指示する指示データとしてもよい。また、上記文字や画像などのレイアウトは表示手段５及び操作手段６を用いてユーザが行ってもよいし、予め定められたルールに従って自動的にレイアウトされるようにしてもよい。
【００３７】
次に、ステップＳ１１１で、前記したステップＳ１０７〜Ｓ１０８でコンピュータ機器用データや家電機器用データを記録した記録媒体９を記録媒体装填部４から取り出し、図９（ｂ）に示すように、印刷手段１７を用いて記録媒体９のレーベル面に印刷するために使用される記録媒体装着具（レーベル印刷用トレイ２３）に装着する。このレーベル印刷用トレイ２３には、記録媒体９を嵌め込むための領域（凹部２３ａと呼ぶ。）が形成されており、この凹部２３ａにレーベル面を上にして記録媒体９を嵌め込み、記録媒体９を嵌め込んだレーベル印刷用トレイ２３を印刷手段１７の所定の位置にセットすると、レーベル面に上記文字情報や画像情報を印刷することができるようになっている。
【００３８】
ここで、通常、レーベル印刷用トレイ２３の凹部２３ａの周囲には、位置合わせに利用可能な溝や突起、印刷されたマークなどの任意の形態の目印（第１の目印２４）が形成されているが、従来の記録媒体にはこの第１の目印２４に対応する目印が存在しなかったため、記録媒体９を適切な向きでレーベル印刷用トレイ２３の凹部２３ａに装着することができなかった。これに対して、本実施例の記録媒体９のレーベル面には、印刷済み情報１９をレーベル印刷用トレイ２３に対して正しい向きに配置できるように、凹部２３ａの周囲に形成された第１の目印２４に係合する第２の目印２０が印刷されているため、第１の目印２４と第２の目印２０とを位置合わせすることによって、図１０に示すように、記録媒体９をレーベル印刷用トレイ２３に対して適切な向き（すなわち、印刷済み情報１９の天地方向と新たに印刷する情報の天地方向とが略一致する向き）に装着することができる。
【００３９】
なお、記録媒体９のレーベル面に印刷される第２の目印２０及びレーベル印刷用トレイ２３の凹部２３ａ周囲に形成される第１の目印２４は図９及び図１０の構成に限定されず、例えば、レーベル印刷用トレイ２３に複数の第１の目印２４が設けられている場合に、記録媒体９のレーベル面には、図１１に示すように第１の目印２４と同数の複数の第２の目印２０を印刷してもよいし、図１２に示すようにいずれかの第１の目印２４に係合する第２の目印２０（図では、上側の第１の目印２４に係合する１つの第２の目印２０）を印刷してもよい。また、第１の目印２４や第２の目印２０の形状も限定されず、図９乃至図１２に示すような線状にしてもよいし、図１３（ａ）に示すような矢印としてもよいし、図１３（ｂ）に示すような三角形などの記号や図形としてもよい。また、第１の目印２４と第２の目印２０とは同じ形状である必要はなく、例えば、図１３（ｃ）に示すように、第１の目印２４を矢印とし、第２の目印２０を記号とするなど、異なる形状の組み合わせとしてもよい。また、図９乃至図１３では、第１の目印２４を凹部２３ａの周囲に設け、第２の目印２０をレーベル面の外周部に印刷したが、これらは互いに係合するように配置されていれば良く、例えば、第１の目印２４を凹部２３ａ中央部の記録媒体９の開口に対応する位置に設け、第２の目印２０をレーベル面の内周部に印刷したり、レーベル面の外周部と内周部の双方で係合させる構成とすることもできる。
【００４０】
そして、ステップＳ１１２で、印刷制御手段１６を用いて、生成した印刷データに基づいて、印刷手段１７に、文字情報や画像情報などを記録媒体９のレーベル面に適切な向きで印刷させる。印刷後の記録媒体９のレーベル面は、例えば図１４のようになり、予め印刷された文字や記号、模様、画像、ロゴマークなどの印刷済み情報１９の天地方向と、入力されたタイトルや日付、識別情報などの文字情報２２ａや記録媒体９に記録された画像データに基づく画像情報２２ｂなどの追加印刷情報２１の天地方向とが略一致し、見栄えのよい記録媒体９が形成される。
【００４１】
このように、本実施例では、文字や記号、模様、画像、ロゴマークなどの印刷済み情報１９が予め印刷された記録媒体９のレーベル面の外周部に、正しい位置関係において、印刷手段１７のレーベル印刷用トレイ２３の凹部２３ａ周囲に形成された第１の目印２４に係合する１以上の第２の目印２０が印刷されているため、上記記録媒体９のレーベル面に新たな情報を追加して印刷する場合であっても、第１の目印２４と第２の目印２０とを位置合わせすることによって、印刷済み情報１９の天地方向と追加印刷情報２１の天地方向とを揃えることができる。これにより、位置合わせの作業を容易にすることができると共に、見栄えのよい記録媒体９を簡単に作成することが可能となる。
【００４２】
なお、上記フローは一例であり、レーベル面の印刷を行った後に各種データを記録したり、レーベル面の印刷のみを行ったり、一旦レーベル面に追加印刷を行った後、再度追加印刷を行うなどの変更が可能である。また、上記実施例では、画像データが記録される記録媒体９について記載したが、本発明は上記実施例に限定されるものではなく、音楽データが記録される記録媒体９のレーベル面に追加印刷する場合についても、同様に適用することができる。
【図面の簡単な説明】
【００４３】
【図１】本発明の一実施例に係る制御装置の外観構成を示す図である。
【図２】本発明の一実施例に係る制御装置の他の外観構成を示す図である。
【図３】本発明の一実施例に係る制御装置の他の外観構成を示す図である。
【図４】本発明の一実施例に係る制御装置の他の外観構成を示す図である。
【図５】本発明の一実施例に係る制御装置の他の外観構成を示す図である。
【図６】本発明の一実施例に係る制御装置の他の外観構成を示す図である。
【図７】本発明の一実施例に係る制御装置の構成を示すブロック図である。
【図８】本発明の一実施例に係る制御装置を用いた処理の手順を示すフローチャート図である。
【図９】本発明の一実施例に係る記録媒体及びレーベル印刷用トレイの構成を模式的に示す図である。
【図１０】本発明の一実施例に係る記録媒体をレーベル印刷用トレイに装填した状態を模式的に示す図である。
【図１１】本発明の一実施例に係る記録媒体をレーベル印刷用トレイに装填した状態のバリエーションを示す図である。
【図１２】本発明の一実施例に係る記録媒体をレーベル印刷用トレイに装填した状態のバリエーションを示す図である。
【図１３】本発明の一実施例に係る記録媒体に印刷される第２の目印とレーベル印刷用トレイに設けられる第１の目印のバリエーションを示す図である。
【図１４】本発明の一実施例に係る記録媒体の追加印刷後のレーベル面の構成例を示す図である。
【図１５】本発明の一実施例に係る記録媒体におけるデータの記録構造を示す図である。
【図１６】本発明の一実施例に係る制御装置の表示手段に表示される画面構成例（スライドショー作成画面）を示す図である。
【図１７】本発明の一実施例に係る制御装置の表示手段に表示される画面構成例（レーベル印刷画面）を示す図である。
【図１８】本発明の一実施例に係る記録媒体の記録面の構成を示す図である。
【図１９】記録媒体（ＣＤ−Ｒ）の構造を模式的に示す図である。
【図２０】従来の記録媒体のレーベル面の構成例を示す図である。
【符号の説明】
【００４４】
１  制御装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  通信ネットワーク
１１  サーバ
１２  データ入力手段
１３  データ生成手段
１４  記録媒体識別手段
１５  印刷データ生成手段
１６  印刷制御手段
１７  印刷手段
１８  データ記録手段
１９  印刷済み情報
２０  第２の目印
２１  追加印刷情報
２２ａ  文字情報
２２ｂ  画像情報
２３  レーベル印刷用トレイ
２３ａ  凹部
２４  第１の目印
２５  スライドショー作成画面
２６  読み取り元表示欄
２７  アルバム表示欄
２８  選択画像表示欄
２９  手順表示欄
３０  レーベル印刷画面
１００  ポリカーボネート基板
１０１  有機色素層
１０２  反射層
１０３  保護層
【図１】
2006338806.tif 000003
【図２】
2006338806.tif 000004
【図３】
2006338806.tif 000005
【図４】
2006338806.tif 000006
【図５】
2006338806.tif 000007
【図６】
2006338806.tif 000008
【図７】
2006338806.tif 000009
【図８】
2006338806.tif 000010
【図９】
2006338806.tif 000011
【図１０】
2006338806.tif 000012
【図１１】
2006338806.tif 000013
【図１２】
2006338806.tif 000014
【図１３】
2006338806.tif 000015
【図１４】
2006338806.tif 000016
【図１５】
2006338806.tif 000017
【図１６】
2006338806.tif 000018
【図１７】
2006338806.tif 000019
【図１８】
2006338806.tif 000020
【図１９】
2006338806.tif 000021
【図２０】
2006338806.tif 000022